(57)【要約】【課題】従来の監視用の映像符号化装置では、ＪＰＥＧ圧縮部を用いているため、ＭＰＥＧ方式に比べて圧縮率が低く、記録時間が短い。【解決手段】シーンチェンジ連続検出回路１５は、シーンチェンジ検出回路１４から検出信号を受けると、所定の時間検出信号を監視する。所定の時間内に再び検出信号を受けると、シーンチェンジ連続検出信号を出力する。ＧＯＰ構造設定回路１６は、シーンチェンジ連続検出回路１５から連続検出信号が入力されたときには、圧縮方法選択回路１７によりスイッチ１８を端子ａ側に切換接続し、かつ、スイッチ１９をオフとする。これにより、入力映像信号は、ＧＯＰがＩピクチャのみからなる構成のＭＰＥＧ方式の符号化信号が出力される。また、シーンチェンジの連続が検出されない場合は、スイッチ１８が端子ｂ側に接続され、スイッチ１９がオンとされて通常のＭＰＥＧ方式による符号化が行われる。【選択図】　　　　　　図１
2004147112.tif 000002
【特許請求の範囲】
【請求項１】
映像信号を、１つのフレーム内の空間的相関関係を用いて符号化するＩピクチャと、前の前記Ｉピクチャとの相関関係を用いて符号化する予測フレームであるＰピクチャと、前記Ｉピクチャと前記Ｐピクチャとの両方向の相関関係を用いて符号化する補間フレームであるＢピクチャの３つのピクチャのいずれかに符号化し、前記Ｉピクチャから次の前記Ｉピクチャの直前のピクチャまでの複数のピクチャからなるグループ単位で符号化信号を出力する映像符号化装置において、
前記映像信号のシーンチェンジを検出するシーンチェンジ検出部と、
前記シーンチェンジ検出部によるシーンチェンジ検出信号が所定の時間内で連続したときシーンチェンジ連続と判別し、前記シーンチェンジを示す検出信号が入力されないとき、又は前記所定時間内で前記シーンチェンジを示す検出信号が入力されなくなったときはシーンチェンジ非連続と判別するシーンチェンジ連続判別部と、
前記シーンチェンジ連続判別部でシーンチェンジの連続を判別した場合、前記グループ単位を全て前記Ｉピクチャで構成し、前記シーンチェンジ連続判別部でシーンチェンジの非連続を判別した場合、前記グループ単位を前記３つのピクチャのすべて又は前記Ｉピクチャ及びＰピクチャを含む前記複数のピクチャで構成するよう設定する設定部と
を有することを特徴とする映像符号化装置。
【請求項２】
映像信号を、１つのフレーム内の空間的相関関係を用いて符号化するＩピクチャと、前の前記Ｉピクチャとの相関関係を用いて符号化する予測フレームであるＰピクチャと、前記Ｉピクチャと前記Ｐピクチャとの両方向の相関関係を用いて符号化する補間フレームであるＢピクチャの３つのピクチャのいずれかに符号化し、前記Ｉピクチャから次の前記Ｉピクチャの直前のピクチャまでの複数のピクチャからなるグループ単位で符号化信号を出力する映像符号化方法において、
前記映像信号のシーンチェンジを検出してシーンチェンジ検出信号を出力する第１のステップと、
前記シーンチェンジ検出信号が所定の時間内で連続するか否か判定する第２のステップと、
前記第２のステップにより、シーンチェンジ連続と判別したときは、前記グループ単位を全てＩピクチャで構成した符号化信号を出力する第３のステップと、
前記第２のステップにより、シーンチェンジ非連続と判別したときは、前記グループ単位を前記３つのピクチャのすべて又は前記Ｉピクチャ及びＰピクチャを含む前記複数のピクチャで構成した符号化信号を出力する第４のステップと
を含むことを特徴とする映像符号化方法。
【発明の詳細な説明】
【０００１】
【発明の属する技術分野】
本発明は映像符号化装置及び映像符号化方法に係り、特にシーンチェンジのある映像信号を符号化する映像符号化装置及び映像符号化方法に関する。
【０００２】
【従来の技術】
従来より、スーパーマーケット、コンビニエンスストア、パチンコ店などでは、店内の万引きなどの犯罪防止、証拠保全のため、カメラによる監視システムが使われている。この監視システムでは、カメラによる監視画像を記録しておくため、タイムラプスＶＴＲと称される長時間記録監視用ＶＴＲが使用される。なお、タイムラプスＶＴＲは防犯、保安のための監視用途のみでなく、作業分析、物流記録、学校や研究所における長時間にわたる実験観察データの記録などにも使用される。
【０００３】
図３は監視システムの一例のシステム構成図を示す。同図において、４台のカメラ２１ａ、２１ｂ、２１ｃ、２１ｄにより撮影された監視対象の店内の動画像の映像信号は、スイッチャ２２によって任意の時間毎に切り換えられ、テレビジョンモニタ２３に供給されて表示されて監視されると共に、ダイムラプスＶＴＲ２４に供給される。タイムラプスＶＴＲ２４は、スイッチャ２２により複数の映像信号を短い時間で切り換えた時系列合成映像信号を磁気テープに記録する。この記録された磁気テープを再生することにより、記録内容を詳細に分析したり、特定の再生画面を写真撮影して保存することにより、防犯、保安のための監視、証拠保全が行える。
【０００４】
また、アラームセンサ２５の発呼があった場合は、タイムラプスＶＴＲ２４へ供給する映像信号を、アラームセンサ２５近傍にあるカメラ２１ｂからの映像信号にスイッチャ２２で切り換え、その映像信号をタイムラプスＶＴＲ２４に連続記録するアラーム記録を行う。
【０００５】
しかし、タイムラプスＶＴＲ２４は記録媒体として磁気テープを用いているため、記録／再生ヘッドの目詰まりや、テープ巻き込みなどで記録できなくなる不具合が発生することがあり、定期的なメンテナンスを行わないと肝心な場面を記録できないという問題が発生することがある。
【０００６】
そこで、近年はこのタイムラプスＶＴＲの不具合を解消するため、ハードディスク又は光ディスクに映像信号を記録するビデオディスクレコーダ（以下、ＶＤＲと称す）が採用されることが多くなってきている。また、動画像を効率良く間欠的に記録するために、記録する動画像の画像信号に対して画像圧縮が行われている。
【０００７】
一般によく知られている画像圧縮方式には、ＪＰＥＧ（Ｊｏｉｎｔ　Ｐｈｏｔｏｇｒａｐｈｉｃ　Ｅｘｐｅｒｔｓ　Ｇｒｏｕｐ）方式と、ＭＰＥＧ（Ｍｏｖｉｎｇ　Ｐｉｃｔｕｒｅ　Ｅｘｐｅｒｔｓ　Ｇｒｏｕｐ）方式（ＩＳＯ／ＩＥＣ　ＤＩＳ　１３８１８−１￣３）がある。ＪＰＥＧ方式は、フレーム内圧縮方式であり、画像１枚に対し１塊のデータに圧縮する。一方、ＭＰＥＧ方式は、フレーム間圧縮方式であり、画像信号を符号化する際、１つのフレーム内の空間的相関関係を用いて符号化するイントラ（Ｉｎｔｒａ）フレーム（以下、Ｉピクチャと称する）と、前のＩピクチャとの相関関係を用いて符号化する予測（Ｐｒｅｄｉｃｔｅｄ）フレーム（以下、Ｐピクチャと称する）と、ＩピクチャとＰピクチャとの両方向の相関関係を用いて符号化する補間（Ｉｎｔｅｒｐｏｌａｔｅｄ）フレーム（以下、Ｂピクチャと称する）との３つのフレーム（ピクチャ）に区分して処理される。
【０００８】
このＭＰＥＧ方式では、一つのＩピクチャから次のＩピクチャの直前のＰ又はＢピクチャまでの複数のピクチャからなるかたまりをＧＯＰ（Ｇｒｏｕｐ　ｏｆ　Ｐｉｃｔｕｒｅ）と呼ぶ。一般に、同等の画質の場合、圧縮率は、フレーム内圧縮であるＪＰＥＧ方式よりも、フレーム間相関をとるＭＰＥＧ方式の方が高くなる。
【０００９】
ところで、上記の監視用のＶＤＲの圧縮方法は、一般にＪＰＥＧ方式が採用されている。これは、監視用ＶＤＲでは、複数の画像を短い時間で切り換えた信号を記録するため、連続した動画像を圧縮するための方式であるＭＰＥＧ方式を採用することが困難であったためである。
【００１０】
図４は監視用の画像信号記録再生装置の一例のブロック図を示す。この監視用の画像信号記録再生装置３１は、ＪＰＥＧ方式を用いたＶＤＲであり、カメラ（図示せず）により監視対象等の被写体を撮像して得られた標準テレビジョン信号は、ＶＤＲ３１内のＡ／Ｄ変換部３２に供給され、必要なフレームだけディジタル化された後、ＪＰＥＧ圧縮部３３でＪＰＥＧ方式により圧縮される。圧縮されたディジタルの画像信号（画像データ）は、ディスク装置３４に記録される。
【００１１】
ディスク装置３４に記録された画像データは、再生時にディスク装置３４から読み出され、ＪＰＥＧ伸張部３５で伸張された後、Ｄ／Ａ変換部３６に供給され、ここでアナログの画像信号に戻されて出力される。通常は、この出力アナログ画像信号をテレビジョンモニタ（図示せず）に入力し、画面に画像表示させる。
【００１２】
上記のＶＤＲ３１の一連の記録再生動作は、操作部３７によって入力された記録／再生のモード、記録するフレーム数などに基づいて、中央処理装置（ＣＰＵ）３８がバス３９を介してＡ／Ｄ変換部３２からＤ／Ａ変換部３６までの各ブロックのうち、必要なブロックに指示して行われる。
【００１３】
【発明が解決しようとする課題】
しかるに、上記の監視用の画像信号記録再生装置内の映像符号化装置として、ＪＰＥＧ圧縮部３３を用いているため、複数の画像を短い時間で切り換えた映像信号のみならず連続動画像信号を符号化して記録する場合も、ＪＰＥＧ方式により画像圧縮を行うこととなり、ＭＰＥＧ方式に比べて圧縮率が低く、記録時間が短いという問題がある。これは、一つの記録再生装置に二種類の圧縮方式を採用すると圧縮の回路が二種類必要で、コストや記録したデータの互換性において不利になるからである。
【００１４】
本発明は以上の点に鑑みなされたもので、複数の画像を短い時間で切り換えた映像信号や連続動画像信号を、ＭＰＥＧ方式を用いて記録し得る映像符号化装置及び映像符号化方法を提供することを目的とする。
【００１５】
【課題を解決するための手段】
本発明符号化装置は、上記の目的を達成するため、映像信号を、１つのフレーム内の空間的相関関係を用いて符号化するＩピクチャと、前のＩピクチャとの相関関係を用いて符号化する予測フレームであるＰピクチャと、ＩピクチャとＰピクチャとの両方向の相関関係を用いて符号化する補間フレームであるＢピクチャの３つのピクチャのいずれかに符号化し、Ｉピクチャから次のＩピクチャの直前のピクチャまでの複数のピクチャからなるグループ単位で符号化信号を出力する映像符号化装置において、映像信号のシーンチェンジを検出するシーンチェンジ検出部と、シーンチェンジ検出部によるシーンチェンジ検出信号が所定の時間内で連続したときシーンチェンジ連続と判別し、シーンチェンジを示す検出信号が入力されないとき、又は所定時間内でシーンチェンジを示す検出信号が入力されなくなったときはシーンチェンジ非連続と判別するシーンチェンジ連続判別部と、シーンチェンジ連続判別部でシーンチェンジの連続を判別した場合、グループ単位を全てＩピクチャで構成し、シーンチェンジ連続判別部でシーンチェンジの非連続を判別した場合、グループ単位を３つのピクチャをすべて含む複数のピクチャで構成するよう設定する設定部とを有する構成としたものである。
【００１６】
この発明では、シーンチェンジが所定時間連続したことを検出したときには、異なる画像の切換場面であると判断して、そのシーンチェンジの連続期間は映像信号をＩピクチャのみで符号化し、シーンチェンジが検出されないときには、映像信号を３つのピクチャをすべて含む複数のピクチャからなるグループ単位に符号化を行う。
【００１７】
また、本発明方法は上記の目的を達成するため、映像信号を、１つのフレーム内の空間的相関関係を用いて符号化するＩピクチャと、前のＩピクチャとの相関関係を用いて符号化する予測フレームであるＰピクチャと、ＩピクチャとＰピクチャとの両方向の相関関係を用いて符号化する補間フレームであるＢピクチャの３つのピクチャのいずれかに符号化し、Ｉピクチャから次のＩピクチャの直前のピクチャまでの複数のピクチャからなるグループ単位で符号化信号を出力する映像符号化方法において、映像信号のシーンチェンジを検出してシーンチェンジ検出信号を出力する第１のステップと、シーンチェンジ検出信号が所定の時間内で連続するか否か判定する第２のステップと、第２のステップにより、シーンチェンジ連続と判別したときは、グループ単位を全てＩピクチャで構成した符号化信号を出力する第３のステップと、第２のステップにより、シーンチェンジ非連続と判別したときは、グループ単位を３つのピクチャをすべて含む複数のピクチャで構成した符号化信号を出力する第４のステップとを含むことを特徴とする。
【００１８】
この発明では、シーンチェンジが所定時間連続したことを検出したときには、異なる画像の切換場面であると判断して、そのシーンチェンジの連続期間は映像信号をＩピクチャのみで符号化し、シーンチェンジが検出されないときには、映像信号を３つのピクチャをすべて含む複数のピクチャからなるグループ単位に符号化を行う。
【００１９】
【発明の実施の形態】
次に、本発明の一実施の形態について図面と共に説明する。図１は本発明になる映像符号化装置の一実施の形態を示すブロック図である。図１に示すように、本発明の映像符号化装置は、シーンチェンジ検出回路１４と、シーンチェンジ連続検出回路１５と、ＧＯＰ構造設定回路１６と、圧縮方法選択回路１７とを備える点に特徴がある。
【００２０】
図１において、例えば図示しない監視カメラから入力された映像信号は、バッファメモリ／プリプロセス部（ＢＭ）１に入力される。バッファメモリ／プリプロセス部１は、具体的には、フレームバッファの後段に、フィルタ処理やダウンサンプリング処理等を行うプリプロセス部を設けた構成であり、入力映像信号を一旦蓄積した後、シーンチェンジ検出回路１４に供給する一方、所定プリプロセスを施して減算器２及び切換スイッチ１８の切換端子ａヘ出力する。
【００２１】
シーンチェンジ検出回路１４は、後述の公知の方法で入力映像信号のシーンチェンジを判定し、シーンチェンジと判定されたときにはハイレベル、そうでない場合はローレベルの検出信号を発生して、シーンチェンジ連続検出回路１５に出力する。
【００２２】
シーンチェンジの検出方法は例えば、特開平８−５６３６１号公報記載の方法を用い得る。このシーンチェンジ検出方法では、今入力されたフレームと、その直前に入力されたフレームとの差分（画素値の差分）の自乗和（差分のエネルギに相当するもの）を算出し、その値が所定値以上である場合、今入力したフレームにシーンチェンジが生じていると判定し、ハイレベルの検出信号を出力し、そうでない場合はローレベルの検出信号を出力する。
【００２３】
シーンチェンジ連続検出回路１５は、シーンチェンジ検出回路１４からハイレベルの検出信号を受けると、所定の時間検出信号を監視する。そして、所定の時間内に再びハイレベルの検出信号を受けると、シーンチェンジ連続と判定し、ハイレベルの連続検出信号を出力する。これに対し、シーンチェンジ連続検出回路１５は、シーンチェンジ検出回路１４からハイレベルの検出信号を受けない場合や、ハイレベルの検出信号を受けても所定の時間内に再びハイレベルの検出信号を受けない場合は、シーチェンジ非連続であることを示すローレベルの連続検出信号を出力する。
【００２４】
ＧＯＰ構造設定回路１６は、シーンチェンジ連続検出回路１５から入力される連続検出信号がハイレベルの場合は、シーンチェンジ連続と判断してＧＯＰをＩピクチャのみの構成とし、連続検出信号がローレベルの場合は、シーンチェンジ非連続と判断してＧＯＰを通常はＩピクチャ、Ｂピクチャ及びＰピクチャの三種類の構成とするが、ＩピクチャとＰピクチャだけの構成とすることも可能である。
【００２５】
なお、シーンチェンジが所定時間連続しているか否かを検出するようにしているのは、１／３０秒単位の１フレームだけでシーンチェンジを検出すると、バッファメモリ／プリプロセス部１への入力映像信号に外乱が加わった場合、誤ってシーンチェンジと検出されることがあり、誤動作につながるからである。また、実際の符号化には数フレームを要するためである。なお、シーンチェンジが所定時間連続しているかどうか否かを検出している期間中は、ＩＢＢＰ又はＩＰＰＰＰなどのピクチャ順で符号化が行われる。
【００２６】
ＧＯＰ構造設定回路１６でＧＯＰの構造が設定されると、圧縮方法設定回路１７はそれに基づいて、Ｉピクチャ、Ｂピクチャ及びＰピクチャのいずれの方法で圧縮するかを選択する。圧縮方法選択回路１７は、ＧＯＰ構造設定回路１６によりＩピクチャの構造が設定されると、圧縮方法としてＩピクチャを選択し、切換スイッチ１８を端子ａ側に切換接続すると共に、開閉成スイッチ１９をオフ（開成）とする。
【００２７】
一方、バッファメモリ／プリプロセス部１から出力された映像信号は、切換スイッチ１８を通して離散コサイン変換部（ＤＣＴ）３に入力されて周波数領域の信号に変換され、さらに、量子化部（Ｑ）４に入力されて量子化（ビット変換）される。量子化部４の出力量子化信号は、可変長符号化部（ＶＬＣ）５に入力されて可変長符号化される。
【００２８】
このように、Ｉピクチャが選択されたときには、量子化部４から逆量子化部（ＩＱ）８、逆離散コサイン変換部（ＩＤＣＴ）９、加算器１０、フレームメモリ（ＦＭ）１１、動き補償予測部（ＭＣ）１３及び減算器２のフィードバックループは使用されず、１つのフレーム内の空間的相関関係を用いて符号化するイントラ（Ｉｎｔｒａ）フレームの符号化信号がマルチプレクサ（ＭＵＸ）６へ出力される。
【００２９】
また、圧縮方法選択回路１７で圧縮方法としてＰピクチャが選択されると、次のように入力映像信号が処理される。この場合、圧縮方法選択回路１７の出力信号により、切換スイッチ１８が端子ｂ側へ切換接続されると共に、開閉成スイッチ１９がオン（閉成）される。これにより、減算器２の出力信号が切換スイッチ１８により選択されて離散コサイン変換部３へ入力され、また、動き補償予測部１３の出力信号が開閉成スイッチ１９を通して加算器１０へフィードバックされる。
【００３０】
上記の減算器２には、バッファメモリ／プリプロセス部１に一旦蓄積された第ｎフレームの映像信号が、マクロブロック毎に入力される。マクロブロックは動き補償予測に用いられる単位で、ＭＰＥＧ２の圧縮方式では１６×１６画素または１６×８画素で構成されている。減算器２は、後述するフレームメモリ（ＦＭ）１１に蓄えられ、動き補償予測部（ＭＣ）１３によって動き補償予測された第ｎ−ｉ（ｉ≠０）フレームの局部復号されたデータと、上記のバッファメモリ／プリプロセス部１からの第ｎフレームの映像信号との差分をとる。これにより、時間的な冗長性が除去される。
【００３１】
減算器２の出力信号は、切換スイッチ１８を通して離散コサイン変換部（ＤＣＴ）３に入力されて周波数領域の信号に変換され、さらに、量子化部（Ｑ）４に入力されて量子化（ビット変換）される。量子化部４から出力された量子化信号は、可変長符号化部（ＶＬＣ）５に入力されて可変長符号化される一方、逆量子化部（ＩＱ）８にも入力されて逆量子化される。
【００３２】
逆量子化部８の出力信号は、逆離散コサイン変換部（ＩＤＣＴ）９に入力されて離散コサイン変換前の状態に戻される。逆離散コサイン変換部９の出力信号は加算器１０に入力され、ここで開閉成スイッチ１９を通して入力される動き補償予測部１３の出力である局部復号されたデータと加算された後、その加算結果がフレームメモリ１１に供給される。
【００３３】
動きベクトル検出部１２は、バッファメモリ／プリプロセス部１の出力映像信号とフレームメモリ１１の出力信号とを基にして動きベクトルを検出し、動き補償予測部１３に検出した動きベクトルを供給する。動き補償予測部１３は、動き補償予測された第ｎ−ｉ（ｉ≠０）フレームの局部復号されたデータを減算器２へ供給すると共に、符号化に使用する動きベクトルなどの付帯情報を可変長符号化部５に供給する。動き補償予測部１３から供給された付帯情報と、量子化部４から供給された量子化信号は、可変長符号化部５に入力されて可変長符号化される。
【００３４】
また、圧縮方法選択回路１７で圧縮方法としてＢピクチャが選択されると、次のように入力映像信号が処理される。この場合、圧縮方法選択回路１７の出力信号により、切換スイッチ１８が端子ｂ側へ切換接続されると共に、開閉成スイッチ１９がオン（閉成）される。これにより、減算器２の出力信号が切換スイッチ１８により選択されて離散コサイン変換部３へ入力され、また、動き補償予測部１３の出力信号が開閉成スイッチ１９を通して加算器１０へフィードバックされる。
【００３５】
上記の減算器２は、バッファメモリ／プリプロセス部１に一旦蓄積された第ｎフレームの映像信号がマクロブロック毎に入力される。減算器２は、後述するフレームメモリ（ＦＭ）１１に蓄えられ、動き補償予測部（ＭＣ）１３によって動き補償予測された第ｎ−ｉまたは第ｎ＋ｊ（ｉ，ｊ≠０）フレームの局部復号されたデータと、上記のバッファメモリ／プリプロセス部１からの第ｎフレームの映像信号との差分をとる。
【００３６】
減算器２の出力信号は、離散コサイン変換部（ＤＣＴ）３に入力されて周波数領域の信号に変換され、さらに、量子化部（Ｑ）４に入力されて量子化（ビット変換）される。量子化部４の出力量子化信号は、可変長称号化部（ＶＬＣ）５に入力されると共に、逆量子化部（ＩＱ）８にも入力され、逆量子化される。逆量子化部８の出力信号は、逆離散コサイン変換部（ＩＤＣＴ）９に入力されて離散コサイン変換前の状態に戻される。
【００３７】
逆離散コサイン変換部９の出力は加算器１０に入力され、ここで、開閉成スイッチ１９を通して入力される、動き補償予測部１３の出力である局部復号されたデータと加算され、その加算結果がフレームメモリ１１に供給される。
【００３８】
動きベクトル検出部１２は、バッファメモリ／プリプロセス部１の出力映像信号とフレームメモリ１１の出力とを基にして動きベクトルを検出し、動き補償予測部１３に供給する。
【００３９】
動き補償予測部１３は、符号化に使用する動きベクトルなどの付帯情報を可変長符号化部５に供給する。動き補償予測部１３から供給された付帯情報と、量子化部４から供給された量子化信号は、可変長符号化部５に入力されて可変長符号化される。
【００４０】
Ｉピクチャ、Ｐピクチャ、Ｂピクチャ毎に前述のような手順で可変長符号化された信号はマルチプレクサ（ＭＵＸ）６に入力される。マルチプレクサ６は、可変長符号化部５の出力信号と、図示しない音声符号化信号などの出力を多重化して符号化データとして出力する。
【００４１】
また、符号量制御部（ＣＣ）７は、マルチプレクサ６からの情報を基にして、符号化データの単位時間当たりのデータ量が適切な範囲に収まるよう、量子化部４における量子化に必要な係数を設定する。
【００４２】
このように、本実施の形態によれば、シーンチェンジが所定時間連続したことを検出したときには、異なる画像の切換場面であると判断して、そのシーンチェンジの連続期間は、前のピクチャとの相関関係を利用しないＩピクチャのみで映像信号を符号化するようにしたため、符号化画像を得ることができ、よって、複数の画像を短い時間で切り換えた信号を記録する監視用ＶＤＲに適用することができ、また、シーンチェンジでない映像信号入力期間は、通常のＭＰＥＧ方式に基づく符号化信号を出力することができるので、監視用カメラに適用した場合、監視カメラで撮像した動画像を記録することができる共に、従来のＪＰＥＧ方式よりも効率良く（圧縮率高く）記録することができる。
【００４３】
次に、本発明になる映像符号化方法について説明する。図２は本発明になる映像符号化方法の一実施の形態のフローチャートを示す。本実施の形態は、映像信号をＭＰＥＧ方式で圧縮する映像符号化方法において、まず、入力映像信号のシーンチェンジを検出してシーンチェンジ検出信号を出力する（ステップＳ１）。続いて、上記のシーンチェンジ検出信号が所定の時間内で連続するか否か判定する（ステップＳ２）。
【００４４】
このステップＳ２により、シーンチェンジ連続と判別したときは、ＧＯＰを全てＩピクチャで構成した符号化信号を出力する（ステップＳ３）。他方、ステップＳ２により、シーンチェンジ非連続と判別したときは、ＧＯＰを３つのピクチャ（Ｉ、Ｐ及びＢピクチャ）のすべてを含む複数のピクチャ、又はＩピクチャ及びＰピクチャを含む複数のピクチャで構成した符号化信号を出力する（ステップＳ４）。
【００４５】
これにより、本実施の形態の符号化方法によれば、シーンチェンジが所定時間連続したことを検出したときには、異なる画像の切換場面であると判断して、そのシーンチェンジの連続期間は映像信号をＩピクチャのみで符号化するようにしたため、複数の画像を短い時間で切り換えた信号を記録する監視用ＶＤＲに適用することができる。
【００４６】
【発明の効果】
以上説明したように、本発明によれば、シーンチェンジが所定時間連続したことを検出したときには、異なる画像の切換場面であると判断して、そのシーンチェンジの連続期間は映像信号をＩピクチャのみで符号化し、シーンチェンジが検出されないときには、映像信号を３つのピクチャのすべて、又はＩピクチャとＰピクチャを含む複数のピクチャからなるグループ単位に符号化を行うようにしたため、ＪＰＥＧ方式のみの符号化に比べてより効率的で視覚上不具合のない符号化を行うことができ、複数の画像を短い時間で切り換えた映像信号や連続動画像信号を、ＭＰＥＧ方式を用いて符号化した符号化信号を記録することができる。
【００４７】
これにより、本発明によれば、複数の画像を短い時間で切り換えた映像信号を記録する監視用ＶＤＲに適用することができ、しかも従来の監視用ＶＤＲが採用していたＪＰＥＧ方式に比べて高能率で記録媒体に動画像信号を記録することができ、更に一つの記録再生装置にＪＰＥＧ方式とＭＰＥＧ方式という二種類の圧縮方式を採用しなくてよいので、装置を安価に構成できると共に、記録したデータの互換性が可能になり、監視用ＶＤＲに適用して特に好適である。
【図面の簡単な説明】
【図１】本発明装置の一実施の形態のブロック図である。
【図２】本発明方法の一実施の形態のフローチャートである。
【図３】監視システムの一例のシステム構成図である。
【図４】監視用の画像信号記録再生装置の一例のブロック図である。
【符号の説明】
１　フレームバッファ／プリプロセス部（ＢＭ）
２　減算器
３　離散コサイン変換部（ＤＣＴ）
４　量子化部（Ｑ）
５　可変長符号化部（ＶＬＣ）
６　マルチプレクサ（ＭＵＸ）
７　符号量制御部（ＣＣ）
８　逆量子化部（ＩＱ）
９　逆離散コサイン変換部（ＩＤＣＴ）
１０　加算器
１１　フレームメモリ（ＦＭ）
１２　動きベクトル検出部
１３　動き補償予測部（ＭＣ）
１４　シーンチェンジ検出回路
１５　シーンチェンジ連続検出回路
１６　ＧＯＰ構造設定回路
１７　圧縮方法選択回路
１８　切換スイッチ
１９　開閉成スイッチ
【図１】
2004147112.tif 000003
【図２】
2004147112.tif 000004
【図３】
2004147112.tif 000005
【図４】
2004147112.tif 000006